(57)【要約】【課題】オイルパン内にバランサユニットを配置し該バランサユニットのハウジング底部にストレーナ取付け部を形成するエンジンのバランサ装置において、車両走行時に下方からオイルパンの底壁に外力がかかったときにストレーナ取付け部を保護し、オイルの正常な吸い込みを確保できるようにする。【解決手段】バランサハウジングのロアハウジング１５の底部に、ストレーナ取付け部２３より車両前方側となり、平面視にてエンジンリヤ側の軸受壁部２２に一部重なる配置で、ストレーナ取付け部２３を一部円弧状に囲み、下端がストレーナ取付け部２３の下端より下方あるいは略同じ高さとなるよう、ストレーナ取付け部保護用のプロテクタ部３９を形成する。【選択図】図８
2008144652.tif 000002
【特許請求の範囲】
【請求項１】
車両に搭載されるエンジンのオイルパン内に、クランク軸と平行な配置でバランサシャフトをバランサハウジングに回転自在に支持するバランサユニットを配置し、前記バランサハウジングの底部にオイルストレーナ取付け用のストレーナ取付け部を下向きに所定長さ延ばして形成したエンジンのバランサ装置において、
前記バランサハウジングの、前記ストレーナ取付け部より車両前方側となる位置に、下端が前記ストレーナ取付け部の下端と略同じ高さないしは該ストレーナ取付け部の下端より下方となるようにストレーナ取付け部保護用のプロテクタ部を形成したことを特徴とするエンジンのバランサ装置。
【請求項２】
前記オイルパンは少なくとも底壁部が板金製である請求項１記載のエンジンのバランサ装置。
【請求項３】
前記ストレーナ取付け部の車両前方側となる部分が他の部分より肉厚に形成され、その肉厚部分を利用して前記ストレーナ取付け部と一体の前記プロテクタ部が形成されていることを特徴とする請求項１または２記載のエンジンのバランサ装置。
【請求項４】
前記プロテクタ部と前記ストレーナ取付け部とが下端側で離れるように前記肉厚部分の下端に溝部が形成されていることを特徴とする請求項３記載のエンジンのバランサ装置。
【請求項５】
当該エンジンはクランク軸を車幅方向に向けた横置きの配置で車両に搭載されるものであって、前記バランサシャフトが軸方向の少なくとも２個所にジャーナル部を有し、前記バランサハウジングが前記バランサシャフトの各ジャーナル部を支持する上下各一対の半割りの軸受面を備えた軸受壁部を有する上下２分割されたアッパハウジングとロアハウジングとからなり、前記ストレーナ取付け部が前記ロアハウジングの底部の平面視にて前記軸受壁部の一つに重なる位置に形成され、前記プロテクタ部もまた該軸受壁部に重なる位置に形成されていることを特徴とする請求項１、２、３または４記載のエンジンのバランサ装置。
【発明の詳細な説明】
【技術分野】
【０００１】
本発明は、エンジンのバランサ装置、特に、オイルパン内にバランサユニットを配置し該バランサユニットのハウジング底部にストレーナ取付け部を形成するエンジンのバランサ装置に関するものである。
【背景技術】
【０００２】
エンジンの振動抑制のためのバランサユニットをエンジン本体側のブロックからオイルパン内に吊下げて、油面の下にほぼ完全に浸かるように配置するとともに、バランサユニットに連接してオイルパン内にオイルポンプユニットを配置し、バランサハウジングの底部にストレーナ取付け部を一体形成したものが従来から知られている（例えば、特許文献１参照。）。
【０００３】
オイルパン内にバランサユニットとオイルポンプユニットを連接状態で配置するについては、このようにストレーナ取付け部をバランスハウジングに設けることが好都合であり、特に、車両が傾いたり、旋回したり、前進あるいは停止するときの油面に変動に対して一番有利なオイルストレーナの位置というのは、通常、エンジンの中心あたりで、且つ、オイルパンの底壁に近いところであって、そのため、オイルパン内に吊下げられるバランサハウジングの底部に下向きに延ばしてストレーナ取付け部を形成し、そこにオイルストレーナを取り付けるのが好適である。
【０００４】
しかしながら、このようにエンジン本体側のブロックから吊下げてオイルパン内に配置したバランサユニットのバランサハウジングの底部にオイルパンの底壁に近づくよう下向きに延ばしてストレーナ取付け部を設けると、悪路走行等でオイルパンの底壁に外力がかかった時に、ストレーナ取付け部が衝撃荷重を受けて損傷し、オイルストレーナの取付け状態あるいはオイルストレーナ自体に異常が生じて、オイルを正常に吸い込むことができなくなる恐れがある。
【０００５】
【特許文献１】特開２００３−１２９８１５号公報
【発明の開示】
【発明が解決しようとする課題】
【０００６】
したがって、オイルパン内にバランサユニットを配置し該バランサユニットのハウジング底部にストレーナ取付け部を形成するエンジンのバランサ装置において、車両走行時に下方からオイルパンの底壁に外力がかかったときにストレーナ取付け部を保護し、オイルの正常な吸い込みを確保できるようにすることが課題である。
【課題を解決するための手段】
【０００７】
本発明のエンジンのバランサ装置は、車両に搭載されるエンジンのオイルパン内に、クランク軸と平行な配置でバランサシャフトをバランサハウジングに回転自在に支持するバランサユニットを配置し、バランサハウジングの底部にオイルストレーナ取付け用のストレーナ取付け部を下向きに所定長さ延ばして形成したエンジンのバランサ装置において、バランサハウジングの、ストレーナ取付け部より車両前方側となる位置に、下端がストレーナ取付け部の下端と略同じ高さないしはストレーナ取付け部の下端より下方となるようにストレーナ取付け部保護用のプロテクタ部を形成したことを特徴とする。
【０００８】
このようなプロテクタ部を形成することで、悪路走行等でオイルパン底壁に外力がかかっても、衝撃荷重からストレーナ取付け部を保護し、ストレーナ取付け部の損傷を防止して、オイルの正常な吸い込みを確保することができる。車両が前進走行していて、下から石などが当たると、衝撃荷重は前方斜め下方から作用することになり、ストレーナ取付け部より車両前方側となる位置に下端がストレーナ取付け部の下端と略同じ高さないしはストレーナ取付け部の下端より下方となるようにプロテクタ部を形成したことで、そうした前方斜め下方からの衝撃荷重からストレーナ取付け部を有効に保護することができる、
【０００９】
本発明の上記エンジンのバランサ装置は、特に、オイルパンが、少なくとも底壁部が板金製である場合に好適である。
【００１０】
オイルパンの底壁部が板金製であると、下方から外力がかかったときに変形し易く、バランサハウジングのストレーナ取付け部に衝撃荷重がかかり易いが、上記プロテクタ部を形成することで、ストレーナ取付け部にかかる衝撃荷重を緩和し、ストレーナ取付け部の損傷を防止して、オイルの正常な吸い込みを確保することができる。
【００１１】
また、本発明の上記エンジンのバランサ装置は、ストレーナ取付け部の車両前方側となる部分が他の部分より肉厚に形成され、その肉厚部分を利用してストレーナ取付け部と一体のプロテクタ部が形成されているのがよい。
【００１２】
このようにプロテクタ部をストレーナ取付部と一体にすることで高い強度を確保でき、ストレーナ取付け部の損傷を防止してオイルの正常な吸い込みを確保する効果が高まる。
【００１３】
そして、その場合に、プロテクタ部とストレーナ取付け部とが下端側で離れるように肉厚部分の下端に溝部が形成されているのがよい。
【００１４】
車両が前進走行していている時の下からの外力により衝撃荷重はプロテクタ部に対し前方斜め下方から作用し、プロテクタ部の下端が最も衝撃荷重を受け易い。その最も衝撃荷重を受け易いプロテクタ部の下端が溝部によってストレーナ取付け部から隔てられることで、ストレーナ取付け部にかかる衝撃荷重が緩和され、ストレーナ取付け部の損傷を防止してオイルの正常な吸い込みを確保する効果が高まる。
【００１５】
本発明の上記エンジンのバランサ装置は、特に、エンジンがクランク軸を車幅方向に向けた横置きの配置で車両に搭載されるものであって、バランサシャフトが軸方向の少なくとも２個所にジャーナル部を有し、バランサハウジングがバランサシャフトの各ジャーナル部を支持する上下各一対の半割りの軸受面を備えた軸受壁部を有する上下２分割されたアッパハウジングとロアハウジングとからなる場合に、ストレーナ取付け部がロアハウジングの底部の平面視にて軸受壁部の一つに重なる位置に形成され、プロテクタ部もまた軸受壁部に重なる位置に形成されているのがよい。
【００１６】
この場合、比較的に剛性の高い軸受壁部によってストレーナ取付け部およびプロテクタ部の剛性が高まり、ストレーナ取付け部の損傷を防止してオイルの正常な吸い込みを確保する効果が高まる。
【発明の効果】
【００１７】
このように、本発明のエンジンのバランサ装置によれば、悪路走行等でオイルパン底壁に外力がかかっても、衝撃荷重からストレーナ取付け部を保護し、ストレーナ取付け部の損傷を防止して、オイルの正常な吸い込みを確保することができる。
【００１８】
そして、プロテクタ部をストレーナ取付部と一体にすることで、高い強度を確保でき、ストレーナ取付け部の損傷を防止してオイルの正常な吸い込みを確保する効果を高めることができ、特に、プロテクタ部とストレーナ取付け部とが互いの下端側で離れるように溝部を形成することで、一層その効果を高めることができる。
【００１９】
そして、特に、エンジンが横置きの配置で車両に搭載されるものである場合に、ストレーナ取付け部およびプロテクタ部を上下２分割構造のバランサハウジングのロアハウジング底部の軸受壁部に重なる位置に形成することにより、剛性の高い軸受壁部を利用してストレーナ取付け部およびプロテクタ部の剛性を高め、ストレーナ取付け部の損傷を防止してオイルの正常な吸い込みを確保する効果を高めることができる。
【発明を実施するための最良の形態】
【００２０】
以下、本発明の実施形態を図面に基づいて説明する。
図１〜図１１は本発明の実施形態の一例を示している。図１は、エンジンの下部正面図、図２はバランサ装置の配置をオイルパンアッパー底面視にて示す説明図、図３はバランサ装置の配置を図２のＡ−Ａ断面にて示す説明図、図４はバランサ装置の配置を図２のＢ−Ｂ断面にて示す説明図、図５はオイルストレーナ取付け構造を図３のＣ部拡大視にて実線で示す説明図、図６はバランサ装置をバランサユニットとオイルポンプユニットに分解して示す分解図、図７はバランサユニットの分解図、図８はバランサユニットのロアハウジングの底面図、図９はバランサユニットのロアハウジングの側面図、図１０は図８のＤ−Ｄ断面図、図１１は図８のＥ−Ｅ断面図である。
【００２１】
この実施形態は、クランク軸を車幅方向に向けた横置きの配置で車両に搭載される横置きエンジンのバランサ装置に関するものである。図１に示すように、この実施形態のエンジン１は、シリンダブロック２（アッパブロック）の下端にオイルパンアッパーを兼ねるロアブロック３が配置され、ロアブロック３（オイルパンアッパー）と板金製のオイルパンロア４とでオイルパン５が構成されている。そして、オイルパン内５には後述のように左右のバランサシャフトを備えたバランサユニットを有するバランサ装置が配置され、クランクシャフトの前端に固定されたスプロケット６と正面視右側のバランサシャフトの前端に固定されたスプロケット７との間にチェーン８が掛け渡されて、クランクシャフトの回転によりバランサ装置が回転駆動されるようになっている。
【００２２】
オイルパン５内には、図２〜図４に示すように、エンジン振動を低減するためのバランサユニット８と、オイルパン内のオイルを汲み上げて送油するオイルポンプを備えたオイルポンプユニット９とを連接してなるバランサ装置１０が配置されている。バランサユニット８とオイルポンプユニット９は、図６に示すように、オイルポンプユニット９側から複数本の締結ボルト１１で相互に締結される。
【００２３】
バランサユニット８は、図７に示すように、左右一対となる長短２本のバランサシャフト１２，１３を備え、これら左右のバランサシャフト１２，１３を、クランク軸と平行な配置で、アッパハウジング１４とロアハウジング１５とからなる上下２分割構造のバランサハウジング１６により回転自在に支持している。
【００２４】
左右のバランサシャフト１２，１３は、各軸方向の２個所に左右に並ぶ配置でジャーナル部１７，１８；１９，２０を有している。また、左側となる長い方のバランサシャフト１２には、その長く突き出た前端部にもう１個所のジャーナル部２１を有している。
【００２５】
アッパハウジング１４とロアハウジング１５は、左右バランサシャフト１２，１３の各ジャーナル部１７〜２１を支持する上下各一対の半割りの軸受面を備えた軸受壁部を有している。
【００２６】
そして、ロアハウジング１５の底部には、図８〜図１１に示すように、リヤ側の軸受壁部２２と平面視（底面視）にて重なる位置に、平面視にてこの軸受壁部２２に重なる配置で、下向きに所定長さ延ばして断面略円形のオイルストレーナ取付け用のストレーナ取付け部２３が形成されている。
【００２７】
また、ロアハウジング１５には、図８に示すように、各軸受壁部に、アッパハウジング１４とロアハウジング１５を締結するハウジング締結ボルト２４用のネジ孔を有するネジ孔ボス部が各３個所（前端部の軸受壁部だけは２個所）設けられ、その内の、リヤ側の軸受壁部２２の２個所のネジ孔ボス部２５，２６は、平面視（底面視）にてストレーナ取付け部２３が重なる配置となっている。
【００２８】
また、ロアハウジング１５には、図６、図８および図１０に示すように、平面視（底面視）にて少なくとも一部がストレーナ取付け部２３と重なる配置で、リヤ側の軸受壁部２２の下方位置に該軸受壁部２２と交差する略水平の方向に、オイルポンプユニット９のオイルポンプの吸入チャンバに連通する吸入通路２７が形成されている。
【００２９】
ストレーナ取付け部２３は、図７、図８および図１１に示すように、バランサシャフト１２，１３のアンバランスマス部２８，２９を収容する円弧状に下方に膨らんだアンバランスマス収容壁部３０，３１に平面視にて一部重なる位置に配置され、ストレーナ取付け部２３が重なるリヤ側の軸受壁部２２は、アンバランスマス収容壁部３０，３１に隣接して位置している。
【００３０】
そして、図８および図１１に示すように、リヤ側の軸受壁部２２の、平面視（底面視）にてストレーナ取付け部２３に重なる２個所のネジ孔ボス部２５，２６のネジ孔３２，３３は、貫通孔とされている。そして、図７に示すように、ハウジング締結ボルト２４はアッパハウジング側から締結される。
【００３１】
ストレーナ取付け部２３には、図５に示すように、メッシュ状のストレーナ本体３４（メッシュ板）と、吸い口となる開口３５を有する板金製のストレーナカバー３６とからなるオイルストレーナ３７が取り付けられる。オイルストレーナ３７は、図５および図８に示すように、平面視にてストレーナ本体３４の一部がアンバランスマス収容壁部３０，３１に重なるとともに、垂直断面視にてアンバランスマス収容壁部３０，３１に小さな隙間ｓができる格好で一部接近し、平面視にて吸い口となる板金製のストレーナカバー３５の開口３４が中央1個所のネジ孔ボス部２６と重なる配置で取付けられる。
【００３２】
オイルストレーナ３７は、ストレーナ本体３４（メッシュ板）を先にリテーナ取付け部２３の奥の環状座面３８に当てて、その後、カバープレート３５をリテーナ取付け部２３に圧入する。ストレーナ本体３４はメッシュを通過する際のオイルの粘性抵抗で奥に引き込まれようとすると、一部がアンバランスマス収容壁部３０，３１に当たり、それ以上は奥に引き込まれない。
【００３３】
また、ロアハウジング１５には、図８、図９および図１１に示すように、ストレーナ取付け部２３より車両前方側（図８において上方側）となり、平面視（底面視）にてリヤ側（エンジンリヤ側）の軸受壁部２２に一部重なる位置に、ストレーナ取付け部２３を一部円弧状に囲み、下端がストレーナ取付け部２３の下端より下方（略同じ高さでもよい）となるよう、ストレーナ取付け部保護用のプロテクタ部３９が形成されている。
【００３４】
プロテクタ部３９は、ストレーナ取付け部２３の車両前方側（図８において上方側）となる部分が他の部分より肉厚に形成され、その肉厚部分を利用してストレーナ取付け部２３と一体に形成されたもので、プロテクタ部３９とストレーナ取付け部２３とが下端側で離れるように、肉厚部分の下端に溝部４０が形成されている。このようなプロテクタ部３９が設けられていることで、悪路走行等でオイルパン５の底壁（オイルパンロア４の底部）に外力がかかったときにオイルストレーナ取付け部２３が前方斜め下方から受ける衝撃荷重が緩和され、ストレーナ取付け部２３の損傷が防止されて、オイルの正常な吸い込みが確保される
【００３５】
以上、実施形態の一例を説明したが、本発明はこれに限定されるものではなく、その他、様々な形態で実施することができる。
【図面の簡単な説明】
【００３６】
【図１】本発明の実施形態のエンジンの下部正面図である。
【図２】本発明の実施形態におけるバランサ装置の配置をオイルパンアッパー底面視にて示す説明図である。
【図３】本発明の実施形態におけるバランサ装置の配置を図２のＡ−Ａ断面にて示す説明図である。
【図４】本発明の実施形態におけるバランサ装置の配置を図２のＢ−Ｂ断面にて示す説明図である。
【図５】本発明の実施形態におけるオイルストレーナ取付け構造を図３のＣ部拡大視にて実線で示す説明図である。
【図６】本発明の実施形態におけるバランサ装置をバランサユニットとオイルポンプユニットに分解して示す分解図である。
【図７】本発明の実施形態におけるバランサユニットの分解図である。
【図８】本発明の実施形態におけるバランサユニットのロアハウジングの底面図である。
【図９】本発明の実施形態におけるバランサユニットのロアハウジングの側面図である。
【図１０】図８のＤ−Ｄ断面図である。
【図１１】図８のＥ−Ｅ断面図である。
【符号の説明】
【００３７】
１  エンジン
２  シリンダブロック（アッパブロック）
３  ロアブロック（オイルパンアッパー）
４  オイルパンロア
５  オイルパン
８  バランサユニット
９  オイルポンプユニット
１０  バランサ装置
１１  締結ボルト
１２、１３  バランサシャフト
１４  アッパハウジング
１５  ロアハウジング
１６  バランサハウジング
１７、１８、１９、２０、２１  ジャーナル部
２２  リヤ側の軸受壁部
２３  ストレーナ取付け部
２４  ハウジング締結ボルト
２５、２６  ネジ孔ボス部
２７  吸入通路
２８、２９  アンバランスマス部
３０、３１  アンバランスマス収容壁部
３２、３３  ネジ孔
３４  ストレーナ本体（メッシュ板）
３５  開口（吸い口）
３６  ストレーナカバー
３７  オイルストレーナ
３８  環状座面
３９  プロテクタ部
４０  溝部
【図１】
2008144652.tif 000003
【図２】
2008144652.tif 000004
【図３】
2008144652.tif 000005
【図４】
2008144652.tif 000006
【図５】
2008144652.tif 000007
【図６】
2008144652.tif 000008
【図７】
2008144652.tif 000009
【図８】
2008144652.tif 000010
【図９】
2008144652.tif 000011
【図１０】
2008144652.tif 000012
【図１１】
2008144652.tif 000013